(57)【特許請求の範囲】
【請求項１】
電磁放射ノイズを測定するための電波暗室の内寸を示す内寸情報を取得する内寸取得部と、
前記電波暗室の内部における被測定物が配置される予め定められた領域内に配置された、送信信号を放射する送信アンテナの、前記電波暗室における相対的な位置を示す送信位置情報を取得する送信位置取得部と、
前記電波暗室の内部における予め定められた位置に配置された、前記送信アンテナが放射する前記送信信号を受信する受信アンテナの、前記電波暗室における相対的な位置を示す受信位置情報を取得する受信位置取得部と、
前記受信アンテナが受信した前記送信信号のうちから、前記電波暗室の内壁で反射していない前記送信信号である第１送信信号と、前記電波暗室の内壁で反射した前記送信信号である第２送信信号とを特定する信号特定部と、
前記信号特定部が特定した前記第１送信信号と前記第２送信信号との間の時間間隔を特定し、特定した前記時間間隔を示す信号間隔情報を出力する信号間隔出力部と、
前記内寸取得部が取得した前記内寸情報と、前記送信位置取得部が取得した前記送信位置情報と、前記受信位置取得部が取得した前記受信位置情報と、前記信号間隔出力部が出力した前記信号間隔情報とに基づいて、前記信号特定部が特定した前記第２送信信号の前記電波暗室の内壁における反射点の位置を推定し、推定した前記反射点の位置を示す反射情報を出力する反射点推定部と、
を備えたこと
を特徴とする反射点推定装置。
【請求項２】
前記送信位置取得部が取得した前記送信位置情報と、前記受信位置取得部が取得した前記受信位置情報と、前記信号間隔出力部が出力した前記信号間隔情報とに基づいて、前記信号特定部が特定した前記第２送信信号の前記送信アンテナから前記受信アンテナまでの伝搬距離を算出し、算出した前記伝搬距離を示す伝搬距離情報を出力する伝搬距離算出部を備え、
前記反射点推定部は、前記内寸取得部が取得した前記内寸情報と、前記送信位置取得部が取得した前記送信位置情報と、前記受信位置取得部が取得した前記受信位置情報と、前記伝搬距離算出部が出力した前記伝搬距離情報とに基づいて、前記信号特定部が特定した前記第２送信信号の前記電波暗室の内壁における前記反射点の位置を推定すること
を特徴とする請求項１記載の反射点推定装置。
【請求項３】
前記反射点推定部は、前記送信位置取得部が取得した前記送信位置情報が示す前記送信アンテナの前記電波暗室における相対的な位置と、前記受信位置取得部が取得した前記受信位置情報が示す前記受信アンテナの前記電波暗室における相対的な位置とをそれぞれ焦点とし、且つ、前記伝搬距離算出部が出力した前記伝搬距離情報が示す前記伝搬距離の長さを長径とする楕円を、当該楕円の長軸を回転軸として回転させた回転楕円面を特定し、
前記反射点推定部は、当該回転楕円面と、前記電波暗室の内壁とが交わる閉曲線を特定することにより、前記信号特定部が特定した前記第２送信信号の前記電波暗室の内壁における前記反射点の位置を推定すること
を特徴とする請求項２記載の反射点推定装置。
【請求項４】
電磁放射ノイズを測定するための電波暗室の内寸を示す内寸情報を取得する内寸取得部と、
前記電波暗室の内部における被測定物が配置される予め定められた領域内に配置された、送信信号を放射する送信アンテナの、前記電波暗室における相対的な位置を示す送信位置情報を取得する送信位置取得部と、
前記電波暗室の内部における予め定められた位置に配置された、前記送信アンテナが放射する前記送信信号を受信する受信アンテナの、前記電波暗室における相対的な位置を示す受信位置情報を取得する受信位置取得部と、
前記受信アンテナが受信した前記送信信号のうちから、前記電波暗室の内壁で反射していない前記送信信号である第１送信信号と、前記電波暗室の内壁で反射した前記送信信号である第２送信信号とを特定する信号特定部と、
前記電波暗室の内部における前記電波暗室の内壁から離れた位置に配置された可動式電波吸収体の、前記電波暗室における相対的な領域を示す電波吸収体情報を取得する電波吸収体取得部と、
前記内寸取得部が取得した前記内寸情報、前記送信位置取得部が取得した前記送信位置情報、及び、前記電波吸収体取得部が取得した前記電波吸収体情報、又は、前記内寸取得部が取得した前記内寸情報、前記受信位置取得部が取得した前記受信位置情報、及び、前記電波吸収体取得部が取得した前記電波吸収体情報に基づいて、前記信号特定部が特定した前記第２送信信号の前記電波暗室の内壁における反射点の位置を推定し、推定した前記反射点の位置を示す反射情報を出力する反射点推定部と、
を備えたこと
を特徴とする反射点推定装置。
【請求項５】
前記反射点推定部が、前記内寸情報、前記送信位置情報、及び前記電波吸収体情報に基づいて、前記反射点の位置を推定するものである場合において、
前記反射点推定部は、前記送信位置取得部が取得した前記送信位置情報が示す前記送信アンテナの前記電波暗室における相対的な位置を頂点とし、且つ、前記電波吸収体取得部が取得した前記電波吸収体情報が示す前記可動式電波吸収体の前記電波暗室における相対的な領域の外周を錐面に含む錐体の錐面を特定し、
前記反射点推定部は、当該錐面と、前記電波暗室の内壁とが交わる閉曲線を特定することにより、前記信号特定部が特定した前記第２送信信号の前記電波暗室の内壁における前記反射点の位置を推定すること
を特徴とする請求項４記載の反射点推定装置。
【請求項６】
前記可動式電波吸収体は、前記可動式電波吸収体が、前記送信アンテナから放射される前記送信信号の直接波を吸収できる方向に向けて配置されていること
を特徴とする請求項５記載の反射点推定装置。
【請求項７】
前記反射点推定部が、前記内寸情報、前記受信位置情報、及び前記電波吸収体情報に基づいて、前記反射点の位置を推定するものである場合において、
前記反射点推定部は、前記受信位置取得部が取得した前記受信位置情報が示す前記受信アンテナの前記電波暗室における相対的な位置を頂点とし、且つ、前記電波吸収体取得部が取得した前記電波吸収体情報が示す前記可動式電波吸収体の前記電波暗室における相対的な領域の外周を錐面に含む錐体の錐面を特定し、
前記反射点推定部は、当該錐面と、前記電波暗室の内壁とが交わる閉曲線を特定することにより、前記信号特定部が特定した前記第２送信信号の前記電波暗室の内壁における前記反射点の位置を推定すること
を特徴とする請求項４記載の反射点推定装置。
【請求項８】
前記可動式電波吸収体は、前記可動式電波吸収体が、前記受信アンテナが受信する前記送信信号の反射波を吸収できる方向に向けて配置されていること
を特徴とする請求項７記載の反射点推定装置。
【請求項９】
内寸取得部が、電磁放射ノイズを測定するための電波暗室の内寸を示す内寸情報を取得する内寸取得ステップと、
送信位置取得部が、前記電波暗室の内部における被測定物が配置される予め定められた領域内に配置された、送信信号を放射する送信アンテナの、前記電波暗室における相対的な位置を示す送信位置情報を取得する送信位置取得ステップと、
受信位置取得部が、前記電波暗室の内部における予め定められた位置に配置された、前記送信アンテナが放射する前記送信信号を受信する受信アンテナの、前記電波暗室における相対的な位置を示す受信位置情報を取得する受信位置取得ステップと、
信号特定部が、前記受信アンテナが受信した前記送信信号のうちから、前記電波暗室の内壁で反射していない前記送信信号である第１送信信号と、前記電波暗室の内壁で反射した前記送信信号である第２送信信号とを特定する信号特定ステップと、
信号間隔出力部が、前記信号特定部が特定した前記第１送信信号と前記第２送信信号との間の時間間隔を特定し、特定した前記時間間隔を示す信号間隔情報を出力する信号間隔出力ステップと、
反射点推定部が、前記内寸取得部が取得した前記内寸情報と、前記送信位置取得部が取得した前記送信位置情報と、前記受信位置取得部が取得した前記受信位置情報と、前記信号間隔出力部が出力した前記信号間隔情報とに基づいて、前記信号特定部が特定した前記第２送信信号の前記電波暗室の内壁における反射点の位置を推定し、推定した前記反射点の位置を示す反射情報を出力する反射点推定ステップと、
を備えたこと
を特徴とする反射点推定方法。
【請求項１０】
内寸取得部が、電磁放射ノイズを測定するための電波暗室の内寸を示す内寸情報を取得する内寸取得ステップと、
送信位置取得部が、前記電波暗室の内部における被測定物が配置される予め定められた領域内に配置された、送信信号を放射する送信アンテナの、前記電波暗室における相対的な位置を示す送信位置情報を取得する送信位置取得ステップと、
受信位置取得部が、前記電波暗室の内部における予め定められた位置に配置された、前記送信アンテナが放射する前記送信信号を受信する受信アンテナの、前記電波暗室における相対的な位置を示す受信位置情報を取得する受信位置取得ステップと、
信号特定部が、前記受信アンテナが受信した前記送信信号のうちから、前記電波暗室の内壁で反射していない前記送信信号である第１送信信号と、前記電波暗室の内壁で反射した前記送信信号である第２送信信号とを特定する信号特定ステップと、
電波吸収体取得部が、前記電波暗室の内部における前記電波暗室の内壁から離れた位置に配置された可動式電波吸収体の、前記電波暗室における相対的な領域を示す電波吸収体情報を取得する電波吸収体取得ステップと、
反射点推定部が、前記内寸取得部が取得した前記内寸情報、前記送信位置取得部が取得した前記送信位置情報、及び、前記電波吸収体取得部が取得した前記電波吸収体情報、又は、前記内寸取得部が取得した前記内寸情報、前記受信位置取得部が取得した前記受信位置情報、及び、前記電波吸収体取得部が取得した前記電波吸収体情報に基づいて、前記信号特定部が特定した前記第２送信信号の前記電波暗室の内壁における反射点の位置を推定し、推定した前記反射点の位置を示す反射情報を出力する反射点推定ステップと、
を備えたこと、
を特徴とする反射点推定方法。
【発明の詳細な説明】
【技術分野】
【０００１】
この発明は、反射点推定装置及び反射点推定方法に関するものである。
【背景技術】
【０００２】
１ギガヘルツ以上の周波数を有する電波による電磁放射ノイズの測定において、測定法は、国際規格ＣＩＳＰＲ１６−２−３に規定されている。また、当該測定を行うための電波暗室は、非特許文献１又は非特許文献２にて規定されている。
非特許文献１には、電波暗室は、被測定物から放射され、直接受信アンテナに到達する電磁放射ノイズのみを測定できる無反射空間であることが規定されている。
また、非特許文献２には、電波暗室は、電波暗室の床面における所定領域に電波吸収体を敷き詰めるか、非特許文献１にて規定されているＳＶＳＷＲ（Ｓｉｔｅ  Ｖｏｌｔａｇｅ  Ｓｔａｎｄｉｎｇ  Ｗａｖｅ  Ｒａｔｉｏ）法による検証によりＳＶＳＷＲ値が６デシベル（以下「ｄＢ」と表記する。）以下になるように、電波暗室の床面に電波吸収体を配置することが要求されている。
更に、近年では、非特許文献２が示す規格は、ＳＶＳＷＲ法の代わりに、送信アンテナと受信アンテナとの間の伝搬特性から得られるインパルス応答を用いたタイムドメインＳＶＳＷＲ法を採用する動きがある。
【先行技術文献】
【非特許文献】
【０００３】
【非特許文献１】国際規格ＣＩＳＰＲ１６−１−４：２０１０、“Specification for radio disturbance and immunity measuring apparatus and methods - Part 1-4: Radio disturbance and immunity measuring apparatus - Antennas and test sites for radiated disturbance measurements”、“IEC”、２０１０年４月、“p.45-p.55”
【非特許文献２】米国規格ＡＮＳＩ  Ｃ６３．２５−２０１４、“American National Standard for Methods of Measurement of Radio-Noise Emissions from Low-Voltage Electrical and Electronic Equipment in the Range of 9 kHz to 40 GHz”、“IEEE”、２０１４年７月、“p.36-p.40”
【発明の概要】
【発明が解決しようとする課題】
【０００４】
しかしながら、例えば、非特許文献２である米国規格ＡＮＳＩ  Ｃ６３．２５−２０１４の５．５．１節ａ）２）に規定された方法では、電波暗室は、所定領域に電波吸収体を敷き詰める必要がある。そのため、多くの電波吸収体が必要となり、電波吸収体の敷設や撤去に手間又は時間等が掛かるという問題点があった。
また、非特許文献１にて規定されているＳＶＳＷＲ法による検証によりＳＶＳＷＲ値を６ｄＢ以下にするためには、電波暗室は、送信アンテナと受信アンテナとの中間位置に対応する床面に電波吸収体を敷設することが基本となる。しかしながら、当該位置に対応する床面に電波吸収体を敷設した状態において、ＳＶＳＷＲ値が６ｄＢ以下にならない場合、電波暗室は、電磁放射ノイズの反射位置を推測して電波吸収体を増設する必要がある。従来の電波暗室は、電波吸収体を増設する際に、試行錯誤により電波吸収体の増設、又は既設の電波吸収体の位置の変更等を行っていた。そのため、全ての検証条件においてＳＶＳＷＲ値が６ｄＢ以下となる条件を満たすように電波吸収体を配置するためには、手間又は時間等を要していた。このことは、タイムドメインＳＶＳＷＲ法を用いる場合においても、同様である。【０００５】
この発明は、上述の問題点を解決するためのもので、電磁放射ノイズの電波暗室の内壁における反射点の位置を推定できる反射点推定装置を提供することを目的としている。
【課題を解決するための手段】
【０００６】
この発明に係る反射点推定装置は、電磁放射ノイズを測定するための電波暗室の内寸を示す内寸情報を取得する内寸取得部と、電波暗室の内部における被測定物が配置される予め定められた領域内に配置された、送信信号を放射する送信アンテナの、電波暗室における相対的な位置を示す送信位置情報を取得する送信位置取得部と、電波暗室の内部における予め定められた位置に配置された、送信アンテナが放射する送信信号を受信する受信アンテナの、電波暗室における相対的な位置を示す受信位置情報を取得する受信位置取得部と、受信アンテナが受信した送信信号のうちから、電波暗室の内壁で反射していない送信信号である第１送信信号と、電波暗室の内壁で反射した送信信号である第２送信信号とを特定する信号特定部と、信号特定部が特定した第１送信信号と第２送信信号との間の時間間隔を特定し、特定した時間間隔を示す信号間隔情報を出力する信号間隔出力部と、内寸取得部が取得した内寸情報と、送信位置取得部が取得した送信位置情報と、受信位置取得部が取得した受信位置情報と、信号間隔出力部が出力した信号間隔情報とに基づいて、信号特定部が特定した第２送信信号の電波暗室の内壁における反射点の位置を推定し、推定した反射点の位置を示す反射情報を出力する反射点推定部と、を備えた。
【発明の効果】
【０００７】
この発明によれば、電磁放射ノイズの電波暗室の内壁における反射点の位置を推定できる。
【図面の簡単な説明】
【０００８】
【図１】図１は、実施の形態１に係る反射点推定装置を適用した測定系の要部の構成の一例を示すブロック図である。
【図２】図２は、実施の形態１に係る反射点推定装置の要部の構成の一例を示すブロック図である。
【図３】図３は、実施の形態１に係る信号取得部が取得する信号情報をグラフ化した一例を示す図である。
【図４】図４は、実施の形態１に係る反射点推定部の要部の構成の一例を示すブロック図である。
【図５】図５Ａは、図１に示す測定系における電波暗室において、反射点推定部が推定した第２送信信号の電波暗室の内壁における反射点の位置の一例を示す図である。図５Ｂは、図１に示す矢印Ｘ１の方向から図１に示す測定系における電波暗室１０を見た矢視図である。図５Ｃは、図１に示す矢印Ｙの方向から図１に示す測定系における電波暗室を見た矢視図である。図５Ｄは、図１に示す矢印Ｘ２の方向から図１に示す測定系における電波暗室を見た矢視図である。
【図６】図６Ａ及び図６Ｂは、実施の形態１に係る反射点推定装置の要部のハードウェア構成の一例を示す図である。
【図７】図７は、実施の形態１に係る反射点推定装置の処理の一例を説明するフローチャートである。
【図８】図８は、実施の形態１に係る反射点推定装置における反射点推定部の処理の一例を説明するフローチャートである。
【図９】図９は、実施の形態２に係る反射点推定装置を適用した測定系の要部の構成の一例を示すブロック図である。
【図１０】図１０は、実施の形態２に係る反射点推定装置を適用した測定系の要部の構成の一例を示すブロック図である。
【図１１】図１１は、実施の形態２に係る反射点推定装置の要部の構成の一例を示すブロック図である。
【図１２】図１２は、実施の形態２に係る反射点推定部の要部の構成の一例を示すブロック図である。
【図１３】図１３Ａは、図９に示す測定系における電波暗室において、反射点推定部が推定した第２送信信号の電波暗室の内壁における反射点の位置の一例を示す図である。図１３Ｂは、図９に示す矢印Ｘ１の方向から図９に示す測定系における電波暗室を見た矢視図である。図１３Ｃは、図９に示す矢印Ｙの方向から図９に示す測定系における電波暗室を見た矢視図である。図１３Ｄは、図９に示す矢印Ｘ２の方向から図９に示す測定系における電波暗室を見た矢視図である。
【図１４】図１４Ａは、図１０に示す測定系における電波暗室において、反射点推定部が推定した第２送信信号の電波暗室の内壁における反射点の位置の一例を示す図である。図１４Ｂは、図１４Ａに示す矢印Ｘ１の方向から図１４Ａに示す測定系における電波暗室を見た矢視図である。図１４Ｃは、図１４Ａに示す矢印Ｙの方向から図１４Ａに示す測定系における電波暗室を見た矢視図である。図１４Ｄは、図１４Ａに示す矢印Ｘ２の方向から図１４Ａに示す測定系における電波暗室を見た矢視図である。
【図１５】図１５は、実施の形態２に係る反射点推定装置の処理の一例を説明するフローチャートである。
【図１６】図１６Ａ、図１６Ｂ、及び図１６Ｃは、実施の形態２に係る反射点推定装置における反射点推定部の処理の一例を説明するフローチャートである。
【発明を実施するための形態】
【０００９】
以下、この発明の実施の形態について、図面を参照しながら詳細に説明する。
【００１０】
実施の形態１．
図１から図８を参照して実施の形態１に係る反射点推定装置１００について説明する。
【００１１】
図１を参照して、実施の形態１に係る反射点推定装置１００を適用した測定系１の要部の構成を説明する。
図１は、実施の形態１に係る測定系１の要部の構成の一例を示すブロック図である。
測定系１は、電波暗室１０、送信アンテナ２０、送信用ケーブル２１、受信アンテナ３０、受信用ケーブル３１、ネットワークアナライザ４０、記憶装置５０、及び反射点推定装置１００により構成される。
【００１２】
電波暗室１０は、被測定物（不図示）が放射する電波である電磁放射ノイズを測定するための空間である。
電波暗室１０は、例えば、床、天井、及び四方の壁が金属板等により構成され、電波暗室１０の外部からの電磁波を遮断し、且つ、電波暗室１０の外部に電磁波を漏洩させないように設計及び施工されたものである。電波暗室１０は、例えば、半無響室等である。
図１に示す電波暗室１０は、電波暗室１０を天井面から床面を見たものである。
電波暗室１０は、電波暗室１０の内部に、床面電波吸収体１１、天井面電波吸収体１２（図１には不図示）、及び壁面電波吸収体１３を備える。
床面電波吸収体１１、天井面電波吸収体１２、及び壁面電波吸収体１３は、導電性電波吸収材、誘電性電波吸収材、又は、磁性電波吸収材等の電波吸収材により構成される。
床面電波吸収体１１は、電波暗室１０の内壁である床面に取り付けられ、床面が受けた電波を吸収して、床面における電磁放射ノイズの反射を抑制するためのものである。
天井面電波吸収体１２は、電波暗室１０の内壁である天井面に取り付けられ、天井面が受けた電波を吸収して、天井面における電磁放射ノイズの反射を抑制するためのものである。
壁面電波吸収体１３は、電波暗室１０の内壁である四方の壁面に取り付けられ、壁面が受けた電波を吸収して、壁面における電磁放射ノイズの反射を抑制するためのものである。
【００１３】
送信アンテナ２０は、送信信号を放射するためのアンテナである。
送信信号は、例えば、所定の周波数範囲の正弦波を所定期間内に連続的に変化させたスイープ信号である。
送信用ケーブル２１は、送信アンテナ２０が放射する送信信号を送信アンテナ２０に伝送するためのケーブルである。
受信アンテナ３０は、送信アンテナ２０が放射した送信信号を受信するためのアンテナである。
受信用ケーブル３１は、受信アンテナ３０が受信した送信信号を伝送するためのケーブルである。
【００１４】
ネットワークアナライザ４０は、送信アンテナ２０と受信アンテナ３０との間において送受信された送信信号の伝搬特性を測定するための測定器である。
ネットワークアナライザ４０は、送信信号としてスイープ信号を出力する。ネットワークアナライザ４０が出力した送信信号は、送信用ケーブル２１を介して送信アンテナ２０から放射される。
受信アンテナ３０が受信した送信信号は、受信用ケーブル３１を介して、ネットワークアナライザ４０に入力される。
ネットワークアナライザ４０は、送信アンテナ２０と受信アンテナ３０との間において送受信された送信信号の伝搬特性を測定することにより、インパルス応答を求める。
【００１５】
図１に示す測定系１のうち、これまでに説明した電波暗室１０、送信アンテナ２０、送信用ケーブル２１、受信アンテナ３０、受信用ケーブル３１、及びネットワークアナライザ４０により構成された測定系１は、非特許文献１に記載されているＳＶＳＷＲ法による測定系１と同様である。
非特許文献１に記載されているＳＶＳＷＲ法による測定について説明する。
図１において、送信アンテナ２０を包含する二点鎖線により示された閉曲線１４は、非特許文献１に記載されているＳＶＳＷＲ法におけるテストボリュームを示している。テストボリュームは、被対象物が放射する電磁放射ノイズを測定する際に、被対象物を配置する領域である。
【００１６】
ＳＶＳＷＲ法は、テストボリュームの内側における所定の位置に送信アンテナ２０を配置し、送信アンテナ２０から所定の偏波を放射させることにより、ＳＶＳＷＲ値を測定する。ＳＶＳＷＲ法において、送信アンテナ２０を配置する所定の位置は複数あり、ＳＶＳＷＲ法は、複数ある所定の位置毎に送信アンテナ２０から所定の偏波を放射させることにより、ＳＶＳＷＲ値を測定する。また、ＳＶＳＷＲ法において、送信アンテナ２０から放射させる所定の偏波は複数あり、ＳＶＳＷＲ法は、各所定の位置において、複数ある所定の偏波毎にＳＶＳＷＲ値を測定する。
ＳＶＳＷＲ法により、ある位置に配置した送信アンテナ２０から、ある偏波を放射させることにより、ＳＶＳＷＲ値を測定した結果、ＳＶＳＷＲ値が６ｄＢより大きくとなった場合、当該位置と当該偏波において、ＳＶＳＷＲ値が６ｄＢ以下となるように、電波吸収材の追加等の施工を実施する必要がある。
【００１７】
以下の説明において、実施の形態１に係るネットワークアナライザ４０は、入力された送信信号を、例えば、Ａ／Ｄ変換して、受信アンテナ３０が受信した送信信号を示す信号情報を生成し、生成した信号情報を出力するものとして説明する。
【００１８】
記憶装置５０は、電波暗室１０の内寸を示す内寸情報、送信アンテナ２０の電波暗室１０における相対的な位置を示す送信位置情報、及び、受信アンテナ３０の電波暗室１０における相対的な位置を示す受信位置情報等の情報を記憶するものである。
記憶装置５０は、外部からの要求に従って、当該情報を出力する。
【００１９】
反射点推定装置１００は、ネットワークアナライザ４０から取得した信号情報、並びに、記憶装置５０から取得した内寸情報、送信位置情報、及び受信位置情報等に基づいて、電波暗室１０の内壁で反射した送信信号（以下「第２送信信号」という。）の電波暗室１０の内壁における反射点の位置を推定する。
【００２０】
図２を参照して実施の形態１に係る反射点推定装置１００の要部の構成を説明する。
図２は、実施の形態１に係る反射点推定装置１００の要部の構成の一例を示すブロック図である。
反射点推定装置１００は、内寸取得部１０１、送信位置取得部１０２、受信位置取得部１０３、信号取得部１１０、信号特定部１１１、信号間隔出力部１２０、伝搬距離算出部１２１、反射点推定部１３０、及び推定情報出力部１４０を備える。
【００２１】
内寸取得部１０１は、電波暗室１０の内寸を示す内寸情報を記憶装置５０から取得する。内寸情報は、電波暗室１０の内部の構造及び大きさを示す情報であれば、電波暗室１０の内寸を示す情報に限るものではない。
送信位置取得部１０２は、送信アンテナ２０の電波暗室１０における相対的な位置を示す送信位置情報を記憶装置５０から取得する。電波暗室１０における相対的な位置は、例えば、電波暗室１０における予め決められた位置を原点とした３次元空間の直交座標系における座標により示される点である。
受信位置取得部１０３は、受信アンテナ３０の電波暗室１０における相対的な位置を示す受信位置情報を記憶装置５０から取得する。電波暗室１０における相対的な位置は、例えば、電波暗室１０における予め決められた位置を原点とした３次元空間の直交座標系における座標により示される点である。
【００２２】
信号取得部１１０は、受信アンテナ３０が受信した送信信号を示す信号情報をネットワークアナライザ４０から取得する。
信号特定部１１１は、受信アンテナ３０が受信した送信信号のうちから、電波暗室１０の内壁で反射していない直接波である送信信号（以下「第１送信信号」という。）と、電波暗室１０の内壁で反射した反射波である送信信号（以下「第２送信信号」という。）とを特定する。
具体的には、信号特定部１１１は、信号取得部１１０がネットワークアナライザ４０から取得した信号情報を用いて、第１送信信号と第２送信信号とを特定する。
【００２３】
図３を参照して第１送信信号及び第２送信信号の特定方法について説明する。
図３は、実施の形態１に係る信号取得部１１０が取得する信号情報をグラフ化した一例を示す図である。
図３において、横軸は経過時間、縦軸は信号情報が示す受信アンテナ３０が受信した送信信号の振幅の大きさである。
図３には、３個の送信信号が示されている。
第１送信信号は、送信アンテナ２０から放射された送信信号が、送信アンテナ２０と受信アンテナ３０とを結ぶ線分上を進んで受信アンテナ３０に到達した直接波によるものである。そのため、第１送信信号は、図３に示す他の２個の送信信号に比べて先に受信アンテナ３０に到達する。
図３において、最も振幅が大きい送信信号が第１送信信号である。
【００２４】
第２送信信号は、電波暗室１０の内壁で反射した送信信号であるため、送信アンテナ２０から受信アンテナ３０までの伝搬距離Ｄｒが第１送信信号の伝搬距離Ｄｄより長い。そのため、第２送信信号は、第１送信信号より後に受信アンテナ３０に到達する。
図３において、第１送信信号より右に示す２個の送信信号が第２送信信号である。図３には、２個の送信信号が示されているが、実施の形態１では、当該２個の送信信号のうち、左に示す送信信号が、除去又は低減すべき第２送信信号であるものとして説明する。
【００２５】
信号特定部１１１は、第１送信信号と第２送信信号とがそれぞれ受信アンテナ３０に到達する時間差に基づいて、第１送信信号と第２送信信号とを特定する。すなわち、信号特定部１１１は、送信アンテナ２０から放射された送信信号が受信アンテナ３０に到達した際のインパルス応答に基づいて、第１送信信号と第２送信信号とを特定する。
【００２６】
信号間隔出力部１２０は、信号特定部１１１が特定した第１送信信号と第２送信信号との間の時間間隔Δｔを計測し、計測した時間間隔Δｔを示す信号間隔情報を生成する。
具体的には、例えば、信号間隔出力部１２０は、信号特定部１１１が特定した第１送信信号の振幅が最大となった時刻と、信号特定部１１１が特定した第２送信信号の振幅が最大となった時刻との差分を算出することにより、時間間隔Δｔを計測する。
【００２７】
伝搬距離算出部１２１は、送信位置取得部１０２が取得した送信位置情報と、受信位置取得部１０３が取得した受信位置情報と、信号間隔出力部１２０が出力した信号間隔情報とに基づいて、信号特定部１１１が特定した第２送信信号の送信アンテナ２０から受信アンテナ３０までの伝搬距離Ｄｒを算出する。伝搬距離算出部１２１は、当該伝搬距離Ｄｒを示す伝搬距離情報を生成する。
具体的には、伝搬距離算出部１２１は、送信位置情報が示す送信アンテナ２０の電波暗室１０における相対的な位置と、受信位置情報が示す受信アンテナ３０の電波暗室１０における相対的な位置とに基づいて、送信アンテナ２０と受信アンテナ３０との間の距離、すなわち、第１送信信号の伝搬距離Ｄｄを算出する。伝搬距離算出部１２１は、信号間隔出力部１２０が特定した第１送信信号と第２送信信号との間の時間間隔Δｔに光速ｃを乗じた値と、送信アンテナ２０と受信アンテナ３０との間の距離、すなわち、第１送信信号の伝搬距離Ｄｄとを加算することにより、第２送信信号の送信アンテナ２０から受信アンテナ３０までの伝搬距離Ｄｒを算出する。
【００２８】
反射点推定部１３０は、内寸取得部１０１が取得した内寸情報と、送信位置取得部１０２が取得した送信位置情報と、受信位置取得部１０３が取得した受信位置情報と、信号間隔出力部１２０が出力した信号間隔情報とに基づいて、信号特定部１１１が特定した第２送信信号の電波暗室１０の内壁における反射点の位置を推定し、推定した反射点の位置を示す反射情報を生成する。
具体的には、反射点推定部１３０は、内寸取得部１０１が取得した内寸情報と、送信位置取得部１０２が取得した送信位置情報と、受信位置取得部１０３が取得した受信位置情報と、送信位置情報、受信位置情報、及び信号間隔情報に基づいて伝搬距離算出部１２１が出力した伝搬距離情報とに基づいて、信号特定部１１１が特定した第２送信信号の電波暗室１０の内壁における反射点の位置を推定する。
【００２９】
図４を参照して実施の形態１に係る反射点推定部１３０の要部の構成について説明する。
図４は、実施の形態１に係る反射点推定部１３０の要部の構成の一例を示すブロック図である。
反射点推定部１３０は、回転楕円面特定部１３１、閉曲線特定部１３２、及び反射情報生成部１３３を有する。
回転楕円面特定部１３１は、送信位置取得部１０２が取得した送信位置情報が示す送信アンテナ２０の電波暗室１０における相対的な位置と、受信位置取得部１０３が取得した受信位置情報が示す受信アンテナ３０の電波暗室１０における相対的な位置とをそれぞれ焦点とし、且つ、伝搬距離算出部１２１が出力した伝搬距離情報が示す伝搬距離Ｄｒの長さを長径とする楕円を、当該楕円の長軸を回転軸として回転させた回転楕円面を特定する。すなわち、当該回転楕円面は、送信アンテナ２０から任意の点までの距離と、受信アンテナ３０から当該点までの距離との和が、伝搬距離Ｄｒと等しくなる点の集合である。
閉曲線特定部１３２は、回転楕円面特定部１３１が特定した回転楕円面と、電波暗室１０の内壁とが交わる閉曲線を特定する。
反射情報生成部１３３は、信号特定部１１１が特定した第２送信信号の電波暗室１０の内壁における反射点の位置が、閉曲線特定部１３２が特定した閉曲線を含む閉曲線の近傍に存在するものと推定して、閉曲線特定部１３２が特定した閉曲線を示す情報を含む反射情報を生成する。
【００３０】
図５を参照して回転楕円面特定部１３１が特定する回転楕円面、及び閉曲線特定部１３２が特定する閉曲線について説明する。
図５Ａは、図１に示す測定系１における電波暗室１０において、反射点推定部１３０が推定した第２送信信号の電波暗室１０の内壁における反射点の位置の一例を示す図である。
図５Ｂは、図１に示す矢印Ｘ１の方向から図１に示す測定系１における電波暗室１０を見た矢視図である。
図５Ｃは、図１に示す矢印Ｙの方向から図１に示す測定系１における電波暗室１０を見た矢視図である。
図５Ｄは、図１に示す矢印Ｘ２の方向から図１に示す測定系１における電波暗室１０を見た矢視図である。
【００３１】
図５Ａ、図５Ｂ、図５Ｃ、及び図５Ｄにおいて、送信アンテナ２０及び受信アンテナ３０を包含する破線により示された閉曲線１５は、回転楕円面特定部１３１が特定した回転楕円面の外形である。
図５Ａにおいて、閉曲線１５により包含される一点鎖線により示された閉曲線１６は、閉曲線特定部１３２が特定した閉曲線である。
反射点推定部１３０は、内壁における閉曲線特定部１３２が特定した閉曲線１６上の位置、又は当該位置の近傍が、信号特定部１１１が特定した第２送信信号の電波暗室１０の内壁における反射点の位置であると推定する。
【００３２】
推定情報出力部１４０は、反射点推定部１３０が生成した反射情報を不図示の出力装置に出力するための制御を行う。出力装置は、例えば、ディスプレイ等の表示出力装置である。
【００３３】
図６Ａ及び図６Ｂを参照して実施の形態１に係る反射点推定装置１００の要部のハードウェア構成について説明する。
図６Ａ及び図６Ｂは、実施の形態１に係る反射点推定装置１００の要部のハードウェア構成の一例を示す図である。
【００３４】
図６Ａに示す如く、反射点推定装置１００はコンピュータにより構成されており、当該コンピュータはプロセッサ２０１及びメモリ２０２を有している。メモリ２０２には、当該コンピュータを、内寸取得部１０１、送信位置取得部１０２、受信位置取得部１０３、信号取得部１１０、信号特定部１１１、信号間隔出力部１２０、伝搬距離算出部１２１、反射点推定部１３０、及び推定情報出力部１４０として機能させるためのプログラムが記憶されている。メモリ２０２に記憶されているプログラムをプロセッサ２０１が読み出して実行することにより、内寸取得部１０１、送信位置取得部１０２、受信位置取得部１０３、信号取得部１１０、信号特定部１１１、信号間隔出力部１２０、伝搬距離算出部１２１、反射点推定部１３０、及び推定情報出力部１４０が実現される。
【００３５】
また、図６Ｂに示す如く、反射点推定装置１００は処理回路２０３により構成されても良い。この場合、内寸取得部１０１、送信位置取得部１０２、受信位置取得部１０３、信号取得部１１０、信号特定部１１１、信号間隔出力部１２０、伝搬距離算出部１２１、反射点推定部１３０、及び推定情報出力部１４０の機能が処理回路２０３により実現されても良い。
【００３６】
また、反射点推定装置１００はプロセッサ２０１、メモリ２０２及び処理回路２０３により構成されても良い（不図示）。この場合、内寸取得部１０１、送信位置取得部１０２、受信位置取得部１０３、信号取得部１１０、信号特定部１１１、信号間隔出力部１２０、伝搬距離算出部１２１、反射点推定部１３０、及び推定情報出力部１４０の機能のうちの一部の機能がプロセッサ２０１及びメモリ２０２により実現されて、残余の機能が処理回路２０３により実現されるものであっても良い。
【００３７】
プロセッサ２０１は、例えば、ＣＰＵ（Ｃｅｎｔｒａｌ  Ｐｒｏｃｅｓｓｉｎｇ  Ｕｎｉｔ）、ＧＰＵ（Ｇｒａｐｈｉｃｓ  Ｐｒｏｃｅｓｓｉｎｇ  Ｕｎｉｔ）、マイクロプロセッサ、マイクロコントローラ又はＤＳＰ（Ｄｉｇｉｔａｌ  Ｓｉｇｎａｌ  Ｐｒｏｃｅｓｓｏｒ）を用いたものである。
【００３８】
メモリ２０２は、例えば、半導体メモリ又は磁気ディスクを用いたものである。より具体的には、メモリ２０２は、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、フラッシュメモリ、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ＳＳＤ（Ｓｏｌｉｄ  Ｓｔａｔｅ  Ｄｒｉｖｅ）又はＨＤＤ（Ｈａｒｄ  Ｄｉｓｋ  Ｄｒｉｖｅ）などを用いたものである。
【００３９】
処理回路２０３は、例えば、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＰＬＤ（Ｐｒｏｇｒａｍｍａｂｌｅ  Ｌｏｇｉｃ  Ｄｅｖｉｃｅ）、ＦＰＧＡ（Ｆｉｅｌｄ−Ｐｒｏｇｒａｍｍａｂｌｅ  Ｇａｔｅ  Ａｒｒａｙ）、ＳｏＣ（Ｓｙｓｔｅｍ−ｏｎ−ａ−Ｃｈｉｐ）又はシステムＬＳＩ（Ｌａｒｇｅ−Ｓｃａｌｅ  Ｉｎｔｅｇｒａｔｉｏｎ）を用いたものである。
【００４０】
図７及び図８を参照して実施の形態１に係る反射点推定装置１００の動作について説明する。
図７は、実施の形態１に係る反射点推定装置１００の処理の一例を説明するフローチャートである。
反射点推定装置１００は、ネットワークアナライザ４０が生成した送信信号が送信アンテナ２０から放射される毎に当該フローチャートの処理を繰り返して実行する。ネットワークアナライザ４０が生成した送信信号の送信アンテナ２０からの放射は、例えば、送信アンテナ２０の位置を変更した毎、又は、電波吸収材の追加等の施工を実施した毎に、電波暗室１０の施工者等（以下「ユーザ」という。）がネットワークアナライザ４０を操作することにより行われる。
【００４１】
まず、ステップＳＴ７０１にて、内寸取得部１０１は、内寸情報を取得する。
次に、ステップＳＴ７０２にて、送信位置取得部１０２は、送信位置情報を取得する。
次に、ステップＳＴ７０３にて、受信位置取得部１０３は、受信位置情報を取得する。
次に、ステップＳＴ７０４にて、信号取得部１１０は、信号情報を取得する。
【００４２】
次に、ステップＳＴ７０５にて、信号特定部１１１は、第１送信信号と第２送信信号とを特定する。
次に、ステップＳＴ７０６にて、信号間隔出力部１２０は、信号特定部１１１が特定した第１送信信号と第２送信信号との間の時間間隔Δｔを計測する。
次に、ステップＳＴ７０７にて、伝搬距離算出部１２１は、信号特定部１１１が特定した第２送信信号の送信アンテナ２０から受信アンテナ３０までの伝搬距離Ｄｒを算出する。
次に、ステップＳＴ７０８にて、反射点推定部１３０は、信号特定部１１１が特定した第２送信信号の電波暗室１０の内壁における反射点の位置を推定し、推定した反射点の位置を示す反射情報を生成する。
ステップＳＴ７０９にて、推定情報出力部１４０は、反射点推定部１３０が生成した反射情報を出力装置に出力する。
【００４３】
反射点推定装置１００は、ステップＳＴ７０９の処理を実行した後、当該フローチャートの処理を終了し、ネットワークアナライザ４０が生成した送信信号が送信アンテナ２０から放射される毎に当該フローチャートの処理を繰り返して実行する。
なお、当該フローチャートの処理において、ステップＳＴ７０１からステップＳＴ７０３までの処理は、ステップＳＴ７０６の処理が実行されるまでに処理されれば、当該フローチャートに示した順序に限定されるものではない。
また、当該フローチャートの処理において、ステップＳＴ７０４の処理は、ステップＳＴ７０５の処理が実行されるまでに処理されれば、当該フローチャートに示した順序に限定されるものではない。
また、当該フローチャートの処理において、ステップＳＴ７０５の処理は、ステップＳＴ７０６の処理が実行されるまでに処理されれば、当該フローチャートに示した順序に限定されるものではない。
【００４４】
図８は、実施の形態１に係る反射点推定装置１００における反射点推定部１３０の処理の一例を説明するフローチャートである。すなわち、図８は、図７に示すステップＳＴ７０８の処理の一例を説明するフローチャートである。
【００４５】
まず、ステップＳＴ８０１にて、回転楕円面特定部１３１は、回転楕円面を特定する。
次に、ステップＳＴ８０２にて、閉曲線特定部１３２は、回転楕円面特定部１３１が特定した回転楕円面と、電波暗室１０の内壁とが交わる閉曲線を特定する。
次に、ステップＳＴ８０３にて、反射情報生成部１３３は、信号特定部１１１が特定した第２送信信号の電波暗室１０の内壁における反射点の位置が、閉曲線特定部１３２が特定した閉曲線を含む閉曲線の近傍に存在するものと推定して、閉曲線特定部１３２が特定した閉曲線を示す情報を含む反射情報を生成する。
反射点推定部１３０は、ステップＳＴ８０３の処理を実行した後、当該フローチャートの処理を終了する。
【００４６】
以上のように、反射点推定装置１００は、電磁放射ノイズを測定するための電波暗室１０の内寸を示す内寸情報を取得する内寸取得部１０１と、電波暗室１０の内部における被測定物が配置される予め定められた領域内に配置された、送信信号を放射する送信アンテナ２０の、電波暗室１０における相対的な位置を示す送信位置情報を取得する送信位置取得部１０２と、電波暗室１０の内部における予め定められた位置に配置された、送信アンテナ２０が放射する送信信号を受信する受信アンテナ３０の、電波暗室１０における相対的な位置を示す受信位置情報を取得する受信位置取得部１０３と、受信アンテナ３０が受信した送信信号のうちから、電波暗室１０の内壁で反射していない送信信号である第１送信信号と、電波暗室１０の内壁で反射した送信信号である第２送信信号とを特定する信号特定部１１１と、信号特定部１１１が特定した第１送信信号と第２送信信号との間の時間間隔Δｔを特定し、特定した時間間隔Δｔを示す信号間隔情報を出力する信号間隔出力部１２０と、内寸取得部１０１が取得した内寸情報と、送信位置取得部１０２が取得した送信位置情報と、受信位置取得部１０３が取得した受信位置情報と、信号間隔出力部１２０が出力した信号間隔情報とに基づいて、信号特定部１１１が特定した第２送信信号の電波暗室１０の内壁における反射点の位置を推定し、推定した反射点の位置を示す反射情報を出力する反射点推定部１３０と、を備えた。
【００４７】
このように構成することで、反射点推定装置１００は、電磁放射ノイズの電波暗室１０の内壁における反射点の位置を推定できる。
【００４８】
更に、反射点推定装置１００は、上述の構成に加えて、送信位置取得部１０２が取得した送信位置情報と、受信位置取得部１０３が取得した受信位置情報と、信号間隔出力部１２０が出力した信号間隔情報とに基づいて、信号特定部１１１が特定した第２送信信号の送信アンテナ２０から受信アンテナ３０までの伝搬距離Ｄｒを算出し、算出した伝搬距離Ｄｒを示す伝搬距離情報を出力する伝搬距離算出部１２１を備え、反射点推定部１３０が、内寸取得部１０１が取得した内寸情報と、送信位置取得部１０２が取得した送信位置情報と、受信位置取得部１０３が取得した受信位置情報と、伝搬距離算出部１２１が出力した伝搬距離情報とに基づいて、信号特定部１１１が特定した第２送信信号の電波暗室１０の内壁における反射点の位置を推定するように構成した。
【００４９】
このように構成することで、反射点推定装置１００は、電磁放射ノイズの電波暗室１０の内壁における反射点の位置を正確に推定できる。
【００５０】
更に、反射点推定装置１００は、上述の構成に加えて、反射点推定部１３０が、送信位置取得部１０２が取得した送信位置情報が示す送信アンテナ２０の電波暗室１０における相対的な位置と、受信位置取得部１０３が取得した受信位置情報が示す受信アンテナ３０の電波暗室１０における相対的な位置とをそれぞれ焦点とし、且つ、伝搬距離算出部１２１が出力した伝搬距離情報が示す伝搬距離Ｄｒの長さを長径とする楕円を、当該楕円の長軸を回転軸として回転させた回転楕円面を特定し、反射点推定部１３０が、当該回転楕円面と、電波暗室１０の内壁とが交わる閉曲線を特定することにより、信号特定部１１１が特定した第２送信信号の電波暗室１０の内壁における反射点の位置を推定するように構成した。
【００５１】
このように構成することで、反射点推定装置１００は、電磁放射ノイズの電波暗室１０の内壁における反射点の位置を正確に推定できる。
このように構成することで、反射点推定装置１００は、特に、電磁放射ノイズが電波暗室１０の内壁で１回だけ反射する反射波である場合、第２送信信号が電波暗室１０の内壁で反射した反射点の位置を正確に推定できる。
【００５２】
なお、実施の形態１では、内寸取得部１０１は、内寸情報を記憶装置５０から取得するものとして説明したが、この限りではない。内寸取得部１０１は、例えば、ユーザが不図示の入力装置を操作することにより入力された内寸情報を、入力装置から受けることにより内寸情報を取得しても良い。
また、実施の形態１では、送信位置取得部１０２は、送信位置情報を記憶装置５０から取得するものとして説明したが、この限りではない。送信位置取得部１０２は、例えば、ユーザが不図示の入力装置を操作することにより入力された送信位置情報を、入力装置から受けることにより送信位置情報を取得しても良い。
また、実施の形態１では、受信位置取得部１０３は、受信位置情報を記憶装置５０から取得するものとして説明したが、この限りではない。受信位置取得部１０３は、例えば、ユーザが不図示の入力装置を操作することにより入力された受信位置情報を、入力装置から受けることにより受信位置情報を取得しても良い。
【００５３】
また、実施の形態１では、信号取得部１１０は、信号情報をネットワークアナライザ４０から取得するものとして説明したが、この限りではない。信号取得部１１０は、例えば、ネットワークアナライザ４０が記憶装置５０に記憶させた信号情報を、記憶装置５０から取得しても良い。
【００５４】
ユーザは、反射点推定装置１００が出力した反射情報が示す第２送信信号の電波暗室１０の内壁における反射点の位置に、電波吸収材を仮配置し、再度、第２送信信号の除去又は低減を確認することにより、第２送信信号が電波暗室１０の内壁で１回だけ反射する反射波である場合、第２送信信号が電波暗室１０の内壁で反射した反射点の位置を正確に特定できる。したがって、ユーザは、従来の試行錯誤的な電波吸収材の配置検討に比べ、より短時間で、且つ、より少ない電波吸収材により、ＳＶＳＷＲ値を６ｄＢ以下に適合させることができる。
【００５５】
実施の形態２．
図９から図１６を参照して実施の形態２に係る反射点推定装置１００ａについて説明する。一例について説明する。
図９及び図１０を参照して実施の形態２に係る反射点推定装置１００ａを適用した測定系１ａの要部の構成について説明する。
図９及び図１０は、実施の形態２に係る測定系１ａの要部の構成の一例を示すブロック図である。
実施の形態２に係る測定系１ａは、実施の形態１に係る測定系１に可動式電波吸収体６０が追加され、反射点推定装置１００が反射点推定装置１００ａに変更されたものである。
実施の形態２に係る測定系１ａの構成において、実施の形態１に係る測定系１と同様の構成については、同じ符号を付して重複した説明を省略する。すなわち、図１に記載した符号と同じ符号を付した図９又は図１０の構成については、説明を省略する。
【００５６】
測定系１ａは、電波暗室１０、可動式電波吸収体６０、送信アンテナ２０、送信用ケーブル２１、受信アンテナ３０、受信用ケーブル３１、ネットワークアナライザ４０、記憶装置５０、及び反射点推定装置１００ａにより構成される。
可動式電波吸収体６０は、導電性電波吸収材、誘電性電波吸収材、又は、磁性電波吸収材等の電波吸収材により構成され、電波暗室１０の内部における電波暗室１０の内壁から離れた位置に配置される。
【００５７】
可動式電波吸収体６０は、送信アンテナ２０から放射される送信信号の直接波を吸収できる方向に向けて配置される。図９に示す可動式電波吸収体６０は、一例として、送信アンテナ２０の近傍に配置されたものを示している。図９に示す可動式電波吸収体６０が配置された位置は、一例であり、図９に示す位置に限定されるものではない。
【００５８】
また、可動式電波吸収体６０は、受信アンテナ３０が受信する送信信号の反射波を吸収できる方向に向けて配置されても良い。図１０に示す可動式電波吸収体６０は、受信アンテナ３０の近傍に配置されたものを示している。図１０に示す可動式電波吸収体６０が配置された位置は、一例であり、図１０に示す位置に限定されるものではない。
以下の説明において、可動式電波吸収体６０が電波暗室１０の内部に配置されている場合、可動式電波吸収体６０は、送信アンテナ２０から放射される送信信号の直接波を吸収できる方向、又は、受信アンテナ３０が受信する送信信号の反射波を吸収できる方向のいずれかの方向に向けて配置されているものとして説明する。
【００５９】
記憶装置５０は、内寸情報、送信位置情報、受信位置情報、及び、電波暗室１０の内部に配置された可動式電波吸収体６０の、電波暗室１０における相対的な領域、及び、当該可動式電波吸収体６０が向けられている方向を示す電波吸収体情報等の情報を記憶する。
【００６０】
図１１を参照して実施の形態２に係る反射点推定装置１００ａの要部の構成について説明する。
図１１は、実施の形態２に係る反射点推定装置１００ａの要部の構成の一例を示すブロック図である。
実施の形態２に係る反射点推定装置１００ａは、実施の形態１に係る反射点推定装置１００に電波吸収体取得部１５０及び電波吸収体判定部１５１が追加され、反射点推定部１３０が反射点推定部１３０ａに変更されたものである。
実施の形態２に係る測定系１ａの構成において、実施の形態１に係る測定系１と同様の構成については、同じ符号を付して重複した説明を省略する。すなわち、図２に記載した符号と同じ符号を付した図１１の構成については、説明を省略する。
反射点推定装置１００ａは、内寸取得部１０１、送信位置取得部１０２、受信位置取得部１０３、信号取得部１１０、信号特定部１１１、電波吸収体取得部１５０、電波吸収体判定部１５１、信号間隔出力部１２０、伝搬距離算出部１２１、反射点推定部１３０ａ、及び推定情報出力部１４０を備える。
【００６１】
電波吸収体取得部１５０は、電波暗室１０の内部における電波暗室１０の内壁から離れた位置に配置された可動式電波吸収体６０の、電波暗室１０における相対的な領域を示す電波吸収体情報を記憶装置５０から取得する。電波暗室１０における相対的な領域は、例えば、電波暗室１０における予め決められた位置を原点とした３次元空間の直交座標系における座標により示される領域である。
電波吸収体判定部１５１は、電波吸収体取得部１５０が取得した電波吸収体情報に基づいて、可動式電波吸収体６０が電波暗室１０の内部に配置されているか否かを判定する。
電波吸収体判定部１５１が、可動式電波吸収体６０が電波暗室１０の内部に配置されていないと判定した場合、例えば、信号間隔出力部１２０及び伝搬距離算出部１２１は、実施の形態１に係る信号間隔出力部１２０及び伝搬距離算出部１２１と同様の動作を行う。
【００６２】
電波吸収体判定部１５１が、可動式電波吸収体６０が電波暗室１０の内部に配置されていると判定した場合、電波吸収体判定部１５１は、送信位置取得部１０２が取得した送信位置情報と、受信位置取得部１０３が取得した受信位置情報と、電波吸収体取得部１５０が取得した電波吸収体情報とに基づいて、可動式電波吸収体６０が、送信アンテナ２０から放射される送信信号の直接波を吸収できる方向に向けて配置されているか否かを判定する。
電波吸収体判定部１５１が、可動式電波吸収体６０が送信アンテナ２０から放射される送信信号の直接波を吸収できる方向に向けて配置されていると判定した場合、反射点推定部１３０ａは、内寸取得部１０１が取得した内寸情報と、送信位置取得部１０２が取得した送信位置情報と、電波吸収体取得部１５０が取得した電波吸収体情報とに基づいて、信号特定部１１１が特定した第２送信信号の電波暗室１０の内壁における反射点の位置を推定し、推定した反射点の位置を示す反射情報を出力する。
【００６３】
具体的には、反射点推定部１３０ａは、送信位置取得部１０２が取得した送信位置情報が示す送信アンテナ２０の電波暗室１０における相対的な位置を頂点とし、且つ、電波吸収体取得部１５０が取得した電波吸収体情報が示す可動式電波吸収体６０の電波暗室１０における相対的な領域の外周を錐面に含む錐体の錐面を特定する。
更に、反射点推定部１３０ａは、当該錐面と、電波暗室１０の内壁とが交わる閉曲線を特定することにより、信号特定部１１１が特定した第２送信信号の電波暗室１０の内壁における反射点の位置を推定する。
より具体的には、例えば、反射点推定部１３０ａは、可動式電波吸収体６０が配置されたことにより、信号特定部１１１が特定した第２送信信号が低減された場合、当該閉曲線上の位置、又は当該閉曲線の内側に反射点があると推定する。また、例えば、反射点推定部１３０ａは、可動式電波吸収体６０が配置されたことにより、信号特定部１１１が特定した第２送信信号が低減されない、又は増加した場合、当該閉曲線の外側に反射点があると推定する。
【００６４】
電波吸収体判定部１５１が、可動式電波吸収体６０が送信アンテナ２０から放射される送信信号の直接波を吸収できる方向に向けて配置されていないと判定した場合、すなわち、電波吸収体判定部１５１が、可動式電波吸収体６０が受信アンテナ３０が受信する送信信号の反射波を吸収できる方向に向けて配置されていると判定した場合、反射点推定部１３０ａは、内寸取得部１０１が取得した内寸情報と、受信位置取得部１０３が取得した受信位置情報と、電波吸収体取得部１５０が取得した電波吸収体情報とに基づいて、信号特定部１１１が特定した第２送信信号の電波暗室１０の内壁における反射点の位置を推定し、推定した反射点の位置を示す反射情報を出力する。
【００６５】
具体的には、反射点推定部１３０ａは、受信位置取得部１０３が取得した受信位置情報が示す受信アンテナ３０の電波暗室１０における相対的な位置を頂点とし、且つ、電波吸収体取得部１５０が取得した電波吸収体情報が示す可動式電波吸収体６０の電波暗室１０における相対的な領域の外周を錐面に含む錐体の錐面を特定する。
更に、反射点推定部１３０ａは、当該錐面と、電波暗室１０の内壁とが交わる閉曲線を特定することにより、信号特定部１１１が特定した第２送信信号の電波暗室１０の内壁における反射点の位置を推定する。
より具体的には、例えば、反射点推定部１３０ａは、可動式電波吸収体６０が配置されたことにより、信号特定部１１１が特定した第２送信信号が低減された場合、当該閉曲線上の位置、又は当該閉曲線の内側に反射点があると推定する。また、例えば、反射点推定部１３０ａは、可動式電波吸収体６０が配置されたことにより、信号特定部１１１が特定した第２送信信号が低減されない、又は増加した場合、当該閉曲線の外側に反射点があると推定する。
【００６６】
図１２を参照して、実施の形態２に係る反射点推定部１３０ａの要部の構成について説明する。
図１２は、実施の形態２に係る反射点推定部１３０ａの要部の構成の一例を示すブロック図である。
【００６７】
反射点推定部１３０ａは、回転楕円面特定部１３１、錐面特定部１３４、閉曲線特定部１３２ａ、及び反射情報生成部１３３ａを有する。
回転楕円面特定部１３１は、電波吸収体判定部１５１が、可動式電波吸収体６０が電波暗室１０の内部に配置されていないと判定した場合、実施の形態１に示したように、回転楕円面を特定する。回転楕円面を特定する方法は、実施の形態１で説明したため、説明を省略する。
【００６８】
錐面特定部１３４は、電波吸収体判定部１５１が、可動式電波吸収体６０が電波暗室１０の内部に配置され、且つ、可動式電波吸収体６０が送信アンテナ２０から放射される送信信号の直接波を吸収できる方向に向けて配置されていると判定した場合、送信位置取得部１０２が取得した送信位置情報が示す送信アンテナ２０の電波暗室１０における相対的な位置を頂点とし、且つ、電波吸収体取得部１５０が取得した電波吸収体情報が示す可動式電波吸収体６０の電波暗室１０における相対的な領域の外周を錐面に含む錐体の錐面を特定する。
錐面特定部１３４は、電波吸収体判定部１５１が、可動式電波吸収体６０が電波暗室１０の内部に配置され、且つ、可動式電波吸収体６０が受信アンテナ３０が受信する送信信号の反射波を吸収できる方向に向けて配置されていると判定した場合、受信位置取得部１０３が取得した受信位置情報が示す受信アンテナ３０の電波暗室１０における相対的な位置を頂点とし、且つ、電波吸収体取得部１５０が取得した電波吸収体情報が示す可動式電波吸収体６０の電波暗室１０における相対的な領域の外周を錐面に含む錐体の錐面を特定する。
【００６９】
閉曲線特定部１３２ａは、回転楕円面特定部１３１が特定した回転楕円面、又は、錐面特定部１３４が特定した錐面と、電波暗室１０の内壁とが交わる閉曲線を特定する。
反射情報生成部１３３ａは、信号特定部１１１が特定した第２送信信号の電波暗室１０の内壁における反射点の位置が、閉曲線特定部１３２ａが特定した閉曲線を含む閉曲線上の位置、又は当該閉曲線の内側若しくは外側に存在するものと推定して、閉曲線特定部１３２ａが特定した閉曲線を示す情報を含む反射情報を生成する。
【００７０】
図１３及び図１４を参照して錐面特定部１３４が特定する錐面、及び閉曲線特定部１３２ａが特定する閉曲線について説明する。
図１３Ａは、図９に示す測定系１ａにおける電波暗室１０において、反射点推定部１３０ａが推定した第２送信信号の電波暗室１０の内壁における反射点の位置の一例を示す図である。
図１３Ｂは、図９に示す矢印Ｘ１の方向から図９に示す測定系１ａにおける電波暗室１０を見た矢視図である。
図１３Ｃは、図９に示す矢印Ｙの方向から図９に示す測定系１ａにおける電波暗室１０を見た矢視図である。
図１３Ｄは、図９に示す矢印Ｘ２の方向から図９に示す測定系１ａにおける電波暗室１０を見た矢視図である。
【００７１】
図１３Ａ及び図１３Ｂにおいて、送信アンテナ２０から電波暗室１０の内壁に向かって伸びる破線により示された線分は、錐面特定部１３４が特定した錐面である。
図１３Ｃにおいて、送信アンテナ２０を包含する一点鎖線により示された閉曲線１７は、閉曲線特定部１３２ａが特定した閉曲線である。なお、図１３Ｃにおいて、閉曲線１７は、矩形により示されているが、これは一例であり、閉曲線１７の形状は、矩形に限るものではない。閉曲線１７の形状は、可動式電波吸収体６０の領域、可動式電波吸収体６０と送信アンテナ２０の位置関係、又は、電波暗室１０の形状等により決定される。
【００７２】
図１４Ａは、図１０に示す測定系１ａにおける電波暗室１０において、反射点推定部１３０ａが推定した第２送信信号の電波暗室１０の内壁における反射点の位置の一例を示す図である。
図１４Ｂは、図１４Ａに示す矢印Ｘ１の方向から図１４Ａに示す測定系１ａにおける電波暗室１０を見た矢視図である。
図１４Ｃは、図１４Ａに示す矢印Ｙの方向から図１４Ａに示す測定系１ａにおける電波暗室１０を見た矢視図である。
図１４Ｄは、図１４Ａに示す矢印Ｘ２の方向から図１４Ａに示す測定系１ａにおける電波暗室１０を見た矢視図である。
【００７３】
図１４Ａ及び図１４Ｃにおいて、受信アンテナ３０から電波暗室１０の内壁に向かって伸びる破線により示された線分は、錐面特定部１３４が特定した錐面である。
図１４Ｂにおいて、送信アンテナ２０を包含する一点鎖線により示された閉曲線１８は、閉曲線特定部１３２ａが特定した閉曲線である。なお、図１４Ｂにおいて、閉曲線１８は、矩形により示されているが、これは一例であり、閉曲線１８の形状は、矩形に限るものではない。閉曲線１８の形状は、可動式電波吸収体６０の領域、可動式電波吸収体６０と受信アンテナ３０の位置関係、及び、電波暗室１０の形状等により決定される。
【００７４】
なお、実施の形態２に係る反射点推定装置１００ａにおける内寸取得部１０１、送信位置取得部１０２、受信位置取得部１０３、信号取得部１１０、信号特定部１１１、電波吸収体取得部１５０、電波吸収体判定部１５１、信号間隔出力部１２０、伝搬距離算出部１２１、反射点推定部１３０ａ、及び推定情報出力部１４０の各機能は、実施の形態１において図６Ａ及び図６Ｂに一例を示したハードウェア構成におけるプロセッサ２０１及びメモリ２０２により実現されるものであっても良く、又は処理回路２０３により実現されるものであっても良い。
【００７５】
図１５及び図１６を参照して、実施の形態２に係る反射点推定装置１００ａの動作について説明する。
図１５は、実施の形態２に係る反射点推定装置１００ａの処理の一例を説明するフローチャートである。
反射点推定装置１００ａは、ネットワークアナライザ４０が生成した送信信号が送信アンテナ２０から放射される毎に当該フローチャートの処理を繰り返して実行する。ネットワークアナライザ４０が生成した送信信号の送信アンテナ２０からの放射は、例えば、送信アンテナ２０の位置を変更した毎、電波吸収材の追加等の施工を実施した毎、又は、可動式電波吸収体６０を配置若しくは位置変更した毎に、ユーザがネットワークアナライザ４０を操作することにより行われる。
【００７６】
まず、ステップＳＴ１５０１にて、内寸取得部１０１は、内寸情報を取得する。
次に、ステップＳＴ１５０２にて、送信位置取得部１０２は、送信位置情報を取得する。
次に、ステップＳＴ１５０３にて、受信位置取得部１０３は、受信位置情報を取得する。
次に、ステップＳＴ１５０４にて、信号取得部１１０は、信号情報を取得する。
次に、ステップＳＴ１５０５にて、信号特定部１１１は、第１送信信号と第２送信信号とを特定する。
次に、ステップＳＴ１５０６にて、電波吸収体取得部１５０は、電波吸収体情報を取得する。
次に、ステップＳＴ１５０７にて、電波吸収体判定部１５１は、可動式電波吸収体６０が配置されているか否かを判定する。
【００７７】
ステップＳＴ１５０７にて、電波吸収体判定部１５１が、可動式電波吸収体６０が配置されていないと判定した場合、ステップＳＴ１５１１にて、信号間隔出力部１２０は、信号特定部１１１が特定した第１送信信号と第２送信信号との間の時間間隔Δｔを計測する。
ステップＳＴ１５１１の処理の後、ステップＳＴ１５１２にて、伝搬距離算出部１２１は、信号特定部１１１が特定した第２送信信号の送信アンテナ２０から受信アンテナ３０までの伝搬距離Ｄｒを算出する。
ステップＳＴ１５１２の処理の後、ステップＳＴ１５１３にて、反射点推定部１３０ａは、信号特定部１１１が特定した第２送信信号の電波暗室１０の内壁における反射点の位置を推定し、推定した反射点の位置を示す反射情報を生成する。
【００７８】
ステップＳＴ１５０７にて、電波吸収体判定部１５１が、可動式電波吸収体６０が配置されていると判定した場合、ステップＳＴ１５０８にて、電波吸収体判定部１５１は、可動式電波吸収体６０が送信アンテナ２０から放射される送信信号の直接波を吸収できる方向に向けて配置されているか否かを判定する。
ステップＳＴ１５０８にて、電波吸収体判定部１５１が、可動式電波吸収体６０が送信アンテナ２０から放射される送信信号の直接波を吸収できる方向に向けて配置されていると判定した場合、ステップＳＴ１５２１にて、反射点推定部１３０ａは、信号特定部１１１が特定した第２送信信号の電波暗室１０の内壁における反射点の位置を推定し、推定した反射点の位置を示す反射情報を生成する。
ステップＳＴ１５０８にて、電波吸収体判定部１５１が、可動式電波吸収体６０が送信アンテナ２０から放射される送信信号の直接波を吸収できる方向に向けて配置されていないと判定した場合、すなわち、電波吸収体判定部１５１が、可動式電波吸収体６０が受信アンテナ３０が受信する送信信号の反射波を吸収できる方向に向けて配置されていると判定した場合、ステップＳＴ１５３１にて、反射点推定部１３０ａは、信号特定部１１１が特定した第２送信信号の電波暗室１０の内壁における反射点の位置を推定し、推定した反射点の位置を示す反射情報を生成する。
ステップＳＴ１５１３、ステップＳＴ１５２１、又はステップＳＴ１５３１の処理の後、ステップＳＴ１５４１にて、推定情報出力部１４０は、反射点推定部１３０ａが生成した反射情報を出力装置に出力する。
反射点推定装置１００ａは、ステップＳＴ１５４１の処理を実行した後、当該フローチャートの処理を終了し、ネットワークアナライザ４０が生成した送信信号が送信アンテナ２０から放射される毎に当該フローチャートの処理を繰り返して実行する。
【００７９】
なお、当該フローチャートの処理において、ステップＳＴ１５０１の処理は、ステップＳＴ１５１１、ステップＳＴ１５２１、又はステップＳＴ１５３１の処理が実行されるまでに処理されれば、当該フローチャートに示した順序に限定されるものではない。
また、当該フローチャートの処理において、ステップＳＴ１５０２又はステップＳＴ１５０２の処理は、ステップＳＴ１５０７の処理が実行されるまでに処理されれば、当該フローチャートに示した順序で実行されなくても良い。
また、当該フローチャートの処理において、ステップＳＴ１５０４の処理は、ステップＳＴ１５０５の処理が実行されるまでに処理されれば、当該フローチャートに示した順序で実行されなくても良い。
【００８０】
また、当該フローチャートの処理において、ステップＳＴ１５０５の処理は、ステップＳＴ１５１１、ステップＳＴ１５２１、又はステップＳＴ１５３１の処理が実行されるまでに処理されれば、当該フローチャートに示した順序に限定されるものではない。
また、当該フローチャートの処理において、ステップＳＴ１５０６の処理は、ステップＳＴ１５０７の処理が実行されるまでに処理されれば、当該フローチャートに示した順序に限定されるものではない。
また、当該フローチャートの処理において、ステップＳＴ１５０７の処理は、ステップＳＴ１５１１、ステップＳＴ１５２１、又はステップＳＴ１５３１の処理が実行されるまでに処理されれば、当該フローチャートに示した順序に限定されるものではない。
【００８１】
図１６Ａ、図１６Ｂ、及び図１６Ｃは、実施の形態２に係る反射点推定装置１００ａにおける反射点推定部１３０ａの処理の一例を説明するフローチャートである。具体的には、図１６Ａは、図１５に示すステップＳＴ１５１３の処理の一例を説明するフローチャートである。図１６Ｂは、図１５に示すステップＳＴ１５２１の処理の一例を説明するフローチャートである。図１６Ｂは、図１５に示すステップＳＴ１５３１の処理の一例を説明するフローチャートである。
【００８２】
図１６Ａにおいて、すなわち、電波吸収体判定部１５１が、可動式電波吸収体６０が配置されていないと判定した場合において、まず、ステップＳＴ１６０１にて、回転楕円面特定部１３１は、回転楕円面を特定する。
次に、ステップＳＴ１６０２にて、閉曲線特定部１３２ａは、回転楕円面特定部１３１が特定した回転楕円面と、電波暗室１０の内壁とが交わる閉曲線を特定する。
次に、ステップＳＴ１６０３にて、反射情報生成部１３３ａは、信号特定部１１１が特定した第２送信信号の電波暗室１０の内壁における反射点の位置が、当該閉曲線を含む当該閉曲線の近傍に存在するものと推定して、当該閉曲線を示す情報を含む反射情報を生成する。
反射点推定部１３０ａは、ステップＳＴ１６０３の処理を実行した後、当該フローチャートの処理を終了する。
【００８３】
図１６Ｂにおいて、すなわち、電波吸収体判定部１５１が、可動式電波吸収体６０が電波暗室１０の内部に配置され、且つ、可動式電波吸収体６０が送信アンテナ２０から放射される送信信号の直接波を吸収できる方向に向けて配置されていると判定した場合において、まず、ステップＳＴ１６１１にて、錐面特定部１３４は、送信アンテナ２０の位置を頂点とし、且つ、可動式電波吸収体６０の領域の外周を錐面に含む錐体の錐面を特定する。
次に、ステップＳＴ１６１２にて、閉曲線特定部１３２ａは、錐面特定部１３４が特定した錐面と、電波暗室１０の内壁とが交わる閉曲線を特定する。
次に、ステップＳＴ１６１３にて、反射情報生成部１３３ａは、信号特定部１１１が特定した第２送信信号の電波暗室１０の内壁における反射点の位置が、当該閉曲線上の位置、又は当該閉曲線の内側若しくは外側に存在するものと推定して、当該閉曲線を示す情報を含む反射情報を生成する。
反射点推定部１３０ａは、ステップＳＴ１６１３の処理を実行した後、当該フローチャートの処理を終了する。
【００８４】
図１６Ｃにおいて、すなわち、電波吸収体判定部１５１が、可動式電波吸収体６０が電波暗室１０の内部に配置され、且つ、可動式電波吸収体６０が送信アンテナ２０から放射される送信信号の直接波を吸収できる方向に向けて配置されていないと判定した場合、すなわち、電波吸収体判定部１５１が、可動式電波吸収体６０が受信アンテナ３０が受信する送信信号の反射波を吸収できる方向に向けて配置されていると判定した場合において、まず、ステップＳＴ１６２１にて、錐面特定部１３４は、受信アンテナ３０の位置を頂点とし、且つ、可動式電波吸収体６０の領域の外周を錐面に含む錐体の錐面を特定する。
次に、ステップＳＴ１６２２にて、閉曲線特定部１３２ａは、錐面特定部１３４が特定した錐面と、電波暗室１０の内壁とが交わる閉曲線を特定する。
次に、ステップＳＴ１６２３にて、反射情報生成部１３３ａは、信号特定部１１１が特定した第２送信信号の電波暗室１０の内壁における反射点の位置が、当該閉曲線上の位置、又は当該閉曲線の内側若しくは外側に存在するものと推定して、当該閉曲線を示す情報を含む反射情報を生成する。
反射点推定部１３０ａは、ステップＳＴ１６２３の処理を実行した後、当該フローチャートの処理を終了する。
【００８５】
実施の形態２に係る反射点推定装置１００ａは、実施の形態１に係る反射点推定装置１００が有する機能を有するものとして説明したが、この限りではない。例えば、反射点推定装置１００ａは、実施の形態１に係る反射点推定装置１００が有する機能を有していないものであっても良い。
【００８６】
また、実施の形態２に係る反射点推定装置１００ａは、送信アンテナ２０の位置を頂点とし、且つ、可動式電波吸収体６０の領域の外周を錐面に含む錐体の錐面と、電波暗室１０の内壁とが交わる閉曲線を特定し、第２送信信号の電波暗室１０の内壁における反射点の位置が、当該閉曲線を含む当該閉曲線の外側に存在するものと推定して、当該閉曲線を示す情報を含む反射情報を生成する機能（以下「第１機能」という。）と、受信アンテナ３０の位置を頂点とし、且つ、可動式電波吸収体６０の領域の外周を錐面に含む錐体の錐面と、電波暗室１０の内壁とが交わる閉曲線を特定し、第２送信信号の電波暗室１０の内壁における反射点の位置が、当該閉曲線を含む当該閉曲線の外側に存在するものと推定して、当該閉曲線を示す情報を含む反射情報を生成する機能（以下「第２機能」という。）とを有するものとして説明したが、この限りではない。例えば、反射点推定装置１００ａは、第１機能又は第２機能のいずれかを有するものであっても良い。
【００８７】
反射点推定装置１００ａが第１機能だけを有する場合、反射点推定装置１００ａは、内寸取得部１０１、送信位置取得部１０２、受信位置取得部１０３、電波吸収体取得部１５０、信号取得部１１０、信号特定部１１１、反射点推定部１３０ａ、及び推定情報出力部１４０を備えたものであれば良い。更に、当該場合、反射点推定部１３０ａは、錐面特定部１３４、閉曲線特定部１３２ａ、及び反射情報生成部１３３ａを有するものであれば良い。
また、反射点推定装置１００ａが第２機能だけを有する場合、反射点推定装置１００ａは、内寸取得部１０１、送信位置取得部１０２、受信位置取得部１０３、電波吸収体取得部１５０、信号取得部１１０、信号特定部１１１、反射点推定部１３０ａ、及び推定情報出力部１４０を備えたものであれば良い。更に、当該場合、反射点推定部１３０ａは、錐面特定部１３４、閉曲線特定部１３２ａ、及び反射情報生成部１３３ａを有するものであれば良い。
【００８８】
なお、実施の形態２では、電波吸収体取得部１５０は、電波吸収体情報を記憶装置５０から取得するものとして説明したが、この限りではない。電波吸収体取得部１５０は、例えば、ユーザが不図示の入力装置を操作することにより入力された電波吸収体情報を、入力装置から受けることにより電波吸収体情報を取得しても良い。
【００８９】
以上のように、反射点推定装置１００ａは、電磁放射ノイズを測定するための電波暗室１０の内寸を示す内寸情報を取得する内寸取得部１０１と、電波暗室１０の内部における被測定物が配置される予め定められた領域内に配置された、送信信号を放射する送信アンテナ２０の、電波暗室１０における相対的な位置を示す送信位置情報を取得する送信位置取得部１０２と、電波暗室１０の内部における予め定められた位置に配置された、送信アンテナ２０が放射する送信信号を受信する受信アンテナ３０の、電波暗室１０における相対的な位置を示す受信位置情報を取得する受信位置取得部１０３と、受信アンテナ３０が受信した送信信号のうちから、電波暗室１０の内壁で反射していない送信信号である第１送信信号と、電波暗室１０の内壁で反射した送信信号である第２送信信号とを特定する信号特定部１１１と、電波暗室１０の内部における電波暗室１０の内壁から離れた位置に配置された可動式電波吸収体６０の、電波暗室１０における相対的な領域を示す電波吸収体情報を取得する電波吸収体取得部１５０と、内寸取得部１０１が取得した内寸情報、送信位置取得部１０２が取得した送信位置情報、及び、電波吸収体取得部１５０が取得した電波吸収体情報に基づいて、信号特定部１１１が特定した第２送信信号の電波暗室１０の内壁における反射点の位置を推定し、推定した反射点の位置を示す反射情報を出力する反射点推定部１３０ａと、を備えた。
【００９０】
このように構成することで、反射点推定装置１００ａは、電磁放射ノイズが電波暗室１０の内壁で、１回だけではなく２回以上反射する反射波であっても、電磁放射ノイズが電波暗室１０の内壁で、最初に反射する反射点の位置を正確に推定できる。
【００９１】
また、上述の構成において、反射点推定部１３０ａは、送信位置取得部１０２が取得した送信位置情報が示す送信アンテナ２０の電波暗室１０における相対的な位置を頂点とし、且つ、電波吸収体取得部１５０が取得した電波吸収体情報が示す可動式電波吸収体６０の電波暗室１０における相対的な領域の外周を錐面に含む錐体の錐面を特定し、反射点推定部１３０ａは、当該錐面と、電波暗室１０の内壁とが交わる閉曲線を特定することにより、信号特定部１１１が特定した第２送信信号の電波暗室１０の内壁における反射点の位置を推定するように構成した。
【００９２】
このように構成することで、反射点推定装置１００ａは、電磁放射ノイズが電波暗室１０の内壁で、１回だけではなく２回以上反射する反射波であっても、電磁放射ノイズが電波暗室１０の内壁で、最初に反射する反射点の位置を正確に推定できる。
【００９３】
更に、上述の構成において、可動式電波吸収体６０が、送信アンテナ２０から放射される送信信号の直接波を吸収できる方向に向けて配置されている場合において、反射点推定部１３０ａが、送信位置取得部１０２が取得した送信位置情報が示す送信アンテナ２０の電波暗室１０における相対的な位置を頂点とし、且つ、電波吸収体取得部１５０が取得した電波吸収体情報が示す可動式電波吸収体６０の電波暗室１０における相対的な領域の外周を錐面に含む錐体の錐面を特定し、反射点推定部１３０ａが、当該錐面と、電波暗室１０の内壁とが交わる閉曲線を特定することにより、信号特定部１１１が特定した第２送信信号の電波暗室１０の内壁における反射点の位置を推定するように構成した。
【００９４】
このように構成することで、反射点推定装置１００ａは、電磁放射ノイズが電波暗室１０の内壁で、１回だけではなく２回以上反射する反射波であっても、電磁放射ノイズが電波暗室１０の内壁で、最初に反射する反射点の位置を正確に推定できる。
【００９５】
以上のように構成した反射点推定装置１００ａの利用方法について説明する。
例えば、ユーザは、可動式電波吸収体６０を電波暗室１０の内部における電波暗室１０の内壁から離れた位置（以下「第１位置」という。）に配置し、送信アンテナ２０から送信信号を放射する。反射点推定装置１００ａは、第１位置において、除去又は低減すべき第２送信信号が存在するか否かを判定する。除去又は低減すべき第２送信信号が存在するか否かの判定は、例えば、第２送信信号を特定する信号特定部１１１が行う。
当該第２送信信号が存在しないと判定された場合、例えば、反射情報生成部１３３ａは、除去又は低減すべき第２送信信号が存在しない旨を示す反射情報を出力する。
また、例えば、当該第２送信信号が存在しないと判定された場合、反射情報生成部１３３ａは、除去又は低減すべき第２送信信号が存在しない旨を示すと共に、可動式電波吸収体６０の位置を送信アンテナ２０から遠ざける方向等に変更して配置するように指示する旨の反射情報を出力しても良い。
【００９６】
次に、ユーザは、可動式電波吸収体６０の位置を送信アンテナ２０から遠ざける方向に変更して第２位置に配置し、送信アンテナ２０から送信信号を放射する。反射点推定装置１００ａは、第２位置において、除去又は低減すべき第２送信信号が存在するか否かを判定する。
当該第２送信信号が存在すると判定された場合、例えば、反射情報生成部１３３ａは、除去又は低減すべき第２送信信号の電波暗室１０の内壁における反射点の位置が、第１位置において閉曲線特定部１３２ａが特定した閉曲線（以下「第１閉曲線」という。）と、第２位置において閉曲線特定部１３２ａが特定した閉曲線（以下「第２閉曲線」という。）との間の領域に存在するものと推定して、当該領域を示す情報を含む反射情報を生成しても良い。
【００９７】
なお、上述の説明では、除去又は低減すべき第２送信信号が存在するか否かの判定は、信号特定部１１１により反射点推定装置１００ａが行う例を示したが、これに限定されるものではない。例えば、当該判定は、ユーザが、第２送信信号の振幅の大きさを確認することにより行っても良い。
また、上述の説明では、反射情報生成部１３３ａが、第１閉曲線と第２閉曲線との間の領域に存在するものと推定して、当該領域を示す情報を含む反射情報を生成する例を示したが、これに限定されるものではない。例えば、当該領域は、ユーザが、反射情報に含まれる、第１閉曲線を示す情報と、第２閉曲線を示す情報とに基づいて特定しても良い。
【００９８】
このように反射点推定装置１００ａを利用することで、ユーザは、反射点推定装置１００が出力した反射情報が示す第２送信信号の電波暗室１０の内壁における反射点の位置に、電波吸収材を仮配置し、再度、第２送信信号の除去又は低減を確認することにより、第２送信信号が電波暗室１０の内壁で、１回だけではなく２回以上反射する反射波であっても、第２送信信号が電波暗室１０の内壁で、最初に反射する反射点の位置を正確に特定できる。したがって、ユーザは、従来の試行錯誤的な電波吸収材の配置検討に比べ、より短時間且つより少ない電波吸収材により、ＳＶＳＷＲ値を６ｄＢ以下に適合させることができる。
【００９９】
また、反射点推定装置１００ａは、電磁放射ノイズを測定するための電波暗室１０の内寸を示す内寸情報を取得する内寸取得部１０１と、電波暗室１０の内部における被測定物が配置される予め定められた領域内に配置された、送信信号を放射する送信アンテナ２０の、電波暗室１０における相対的な位置を示す送信位置情報を取得する送信位置取得部１０２と、電波暗室１０の内部における予め定められた位置に配置された、送信アンテナ２０が放射する送信信号を受信する受信アンテナ３０の、電波暗室１０における相対的な位置を示す受信位置情報を取得する受信位置取得部１０３と、受信アンテナ３０が受信した送信信号のうちから、電波暗室１０の内壁で反射していない送信信号である第１送信信号と、電波暗室１０の内壁で反射した送信信号である第２送信信号とを特定する信号特定部１１１と、電波暗室１０の内部における電波暗室１０の内壁から離れた位置に配置された可動式電波吸収体６０の、電波暗室１０における相対的な領域を示す電波吸収体情報を取得する電波吸収体取得部１５０と、内寸取得部１０１が取得した内寸情報、受信位置取得部１０３が取得した受信位置情報、及び、電波吸収体取得部１５０が取得した電波吸収体情報に基づいて、信号特定部１１１が特定した第２送信信号の電波暗室１０の内壁における反射点の位置を推定し、推定した反射点の位置を示す反射情報を出力する反射点推定部１３０ａと、備えた。
【０１００】
このように構成することで、反射点推定装置１００ａは、電磁放射ノイズが電波暗室１０の内壁で、１回だけではなく２回以上反射する反射波であっても、電磁放射ノイズが電波暗室１０の内壁で、最後に反射する反射点の位置を正確に推定できる。
【０１０１】
また、上述の構成において、反射点推定部１３０ａは、受信位置取得部１０３が取得した受信位置情報が示す受信アンテナ３０の電波暗室１０における相対的な位置を頂点とし、且つ、電波吸収体取得部１５０が取得した電波吸収体情報が示す可動式電波吸収体６０の電波暗室１０における相対的な領域の外周を錐面に含む錐体の錐面を特定し、反射点推定部１３０ａは、当該錐面と、電波暗室１０の内壁とが交わる閉曲線を特定することにより、信号特定部１１１が特定した第２送信信号の電波暗室１０の内壁における反射点の位置を推定するように構成した。
【０１０２】
このように構成することで、反射点推定装置１００ａは、電磁放射ノイズが電波暗室１０の内壁で、１回だけではなく２回以上反射する反射波であっても、電磁放射ノイズが電波暗室１０の内壁で、最後に反射する反射点の位置を正確に推定できる。
【０１０３】
更に、上述の構成において、可動式電波吸収体６０が、受信アンテナ３０が受信する送信信号の反射波を吸収できる方向に向けて配置されている場合において、反射点推定部１３０ａが、受信位置取得部１０３が取得した受信位置情報が示す受信アンテナ３０の電波暗室１０における相対的な位置を頂点とし、且つ、電波吸収体取得部１５０が取得した電波吸収体情報が示す可動式電波吸収体６０の電波暗室１０における相対的な領域の外周を錐面に含む錐体の錐面を特定し、反射点推定部１３０ａが、当該錐面と、電波暗室１０の内壁とが交わる閉曲線を特定することにより、信号特定部１１１が特定した第２送信信号の電波暗室１０の内壁における反射点の位置を推定するように構成した。
【０１０４】
このように構成することで、反射点推定装置１００ａは、電磁放射ノイズが電波暗室１０の内壁で、１回だけではなく２回以上反射する反射波であっても、電磁放射ノイズが電波暗室１０の内壁で、最後に反射する反射点の位置を正確に推定できる。
【０１０５】
以上のように構成した反射点推定装置１００ａの利用方法について説明する。
例えば、ユーザは、可動式電波吸収体６０を電波暗室１０の内部における電波暗室１０の内壁から離れた位置（以下「第３位置」という。）に配置し、送信アンテナ２０から送信信号を放射する。反射点推定装置１００ａは、第３位置において、除去又は低減すべき第２送信信号が存在するか否かを判定する。除去又は低減すべき第２送信信号が存在するか否かの判定は、例えば、第２送信信号を特定する信号特定部１１１が行う。
当該第２送信信号が存在しないと判定された場合、例えば、反射情報生成部１３３ａは、除去又は低減すべき第２送信信号が存在しない旨を示す反射情報を出力する。
また、例えば、当該第２送信信号が存在しないと判定された場合、反射情報生成部１３３ａは、除去又は低減すべき第２送信信号が存在しない旨を示すと共に、可動式電波吸収体６０の位置を受信アンテナ３０から遠ざける方向等に変更して配置するように指示する旨の反射情報を出力しても良い。
【０１０６】
次に、例えば、ユーザは、可動式電波吸収体６０の位置を受信アンテナ３０から遠ざける方向に変更して第４位置に配置し、送信アンテナ２０から送信信号を放射する。反射点推定装置１００ａは、第４位置において、除去又は低減すべき第２送信信号が存在するか否かを判定する。
当該第２送信信号が存在すると判定された場合、例えば、反射情報生成部１３３ａは、除去又は低減すべき第２送信信号の電波暗室１０の内壁における反射点の位置が、第３位置において閉曲線特定部１３２ａが特定した閉曲線（以下「第３閉曲線」という。）と、第４位置において閉曲線特定部１３２ａが特定した閉曲線（以下「第４閉曲線」という。）との間の領域に存在するものと推定して、当該領域を示す情報を含む反射情報を生成しても良い。
【０１０７】
なお、上述の説明では、除去又は低減すべき第２送信信号が存在するか否かの判定は、信号特定部１１１により反射点推定装置１００ａが行う例を示したが、これに限定されるものではない。例えば、当該判定は、ユーザが、第２送信信号の振幅の大きさを確認することにより行っても良い。
また、上述の説明では、反射情報生成部１３３ａが、第３閉曲線と第４閉曲線との間の領域に存在するものと推定して、当該領域を示す情報を含む反射情報を生成する例を示したが、これに限定されるものではない。例えば、当該領域は、ユーザが、反射情報に含まれる、第３閉曲線を示す情報と、第４閉曲線を示す情報とに基づいて特定しても良い。
【０１０８】
このように反射点推定装置１００ａを利用することで、ユーザは、反射点推定装置１００が出力した反射情報が示す第２送信信号の電波暗室１０の内壁における反射点の位置に、電波吸収材を仮配置し、再度、第２送信信号の除去又は低減を確認することにより、第２送信信号が電波暗室１０の内壁で、１回だけではなく２回以上反射する反射波であっても、第２送信信号が電波暗室１０の内壁で、最後に反射する反射点の位置を正確に特定できる。したがって、ユーザは、従来の試行錯誤的な電波吸収材の配置検討に比べ、より短時間且つより少ない電波吸収材により、ＳＶＳＷＲ値を６ｄＢ以下に適合させることができる。
【０１０９】
なお、この発明はその発明の範囲内において、各実施の形態の自由な組み合わせ、あるいは各実施の形態の任意の構成要素の変形、もしくは各実施の形態において任意の構成要素の省略が可能である。
【産業上の利用可能性】
【０１１０】
この発明に係る反射点推定装置は、電磁放射ノイズの電波暗室の内壁における反射点の推定に適用することができる。
【符号の説明】
【０１１１】
１，１ａ  測定系、１０  電波暗室、１１  床面電波吸収体、１２  天井面電波吸収体、１３  壁面電波吸収体、１４，１５，１６，１７，１８  閉曲線、２０  送信アンテナ、２１  送信用ケーブル、３０  受信アンテナ、３１  受信用ケーブル、４０  ネットワークアナライザ、５０  記憶装置、６０  可動式電波吸収体、１００，１００ａ  反射点推定装置、１０１  内寸取得部、１０２  送信位置取得部、１０３  受信位置取得部、１１０  信号取得部、１１１  信号特定部、１２０  信号間隔出力部、１２１  伝搬距離算出部、１３０，１３０ａ  反射点推定部、１３１  回転楕円面特定部、１３２，１３２ａ  閉曲線特定部、１３３，１３３ａ  反射情報生成部、１３４  錐面特定部、１４０  推定情報出力部、１５０  電波吸収体取得部、１５１  電波吸収体判定部、２０１  プロセッサ、２０２  メモリ、２０３  処理回路、Ｄｄ  伝搬距離、Ｄｒ  伝搬距離、Δｔ  時間間隔。
【図１】
0006949273.tif 000002
【図２】
0006949273.tif 000003
【図３】
0006949273.tif 000004
【図４】
0006949273.tif 000005
【図５】
0006949273.tif 000006
【図６】
0006949273.tif 000007
【図７】
0006949273.tif 000008
【図８】
0006949273.tif 000009
【図９】
0006949273.tif 000010
【図１０】
0006949273.tif 000011
【図１１】
0006949273.tif 000012
【図１２】
0006949273.tif 000013
【図１３】
0006949273.tif 000014
【図１４】
0006949273.tif 000015
【図１５】
0006949273.tif 000016
【図１６】
0006949273.tif 000017